(57)【要約】【課題】  同時に２点以上の入力、すなわちマルチタッチ入力が可能なアナログ抵抗膜方式タッチパネルを提供する。【解決手段】  透明絶縁基材の上面に透明な導電膜からなる電極および平行な一対のバスバーを形成した下部電極部材と、可撓性透明絶縁基材の下面に透明な導電膜からなる電極および平行な一対のバスバーを形成した上部電極部材とを、上下の電極間にドット状のスペーサを介在させ、下部電極部材のバスバー間方向と上部電極部材のバスバー間方向が直交するように重ね合わせ、周縁部を接着層で接着したアナログ抵抗膜方式の透明タッチパネルにおいて、前記上部電極部材及び前記下部電極部材の一方について、前記電極及び前記一対のバスバーのパターンを２分割することにより、２分割入力エリアを形成した。【選択図】      図１
2010026641.tif 000002
【特許請求の範囲】
【請求項１】
透明絶縁基材の上面に透明な導電膜からなる電極および平行な一対のバスバーを形成した下部電極部材と、可撓性透明絶縁基材の下面に透明な導電膜からなる電極および平行な一対のバスバーを形成した上部電極部材とを、上下の電極間にドット状のスペーサを介在させ、下部電極部材のバスバー間方向と上部電極部材のバスバー間方向が直交するように重ね合わせ、周縁部を接着層で接着したアナログ抵抗膜方式の透明タッチパネルにおいて、
前記上部電極部材及び前記下部電極部材の一方について、前記電極及び前記一対のバスバーのパターンを２分割することにより、２分割入力エリアを形成したことを特徴とするマルチタッチ入力が可能なアナログ抵抗膜方式タッチパネル。
【請求項２】
透明絶縁基材の上面に透明な導電膜からなる電極および平行な一対のバスバーを形成した下部電極部材と、可撓性透明絶縁基材の下面に透明な導電膜からなる電極および平行な一対のバスバーを形成した上部電極部材とを、上下の電極間にドット状のスペーサを介在させ、下部電極部材のバスバー間方向と上部電極部材のバスバー間方向が直交するように重ね合わせ、周縁部を接着層で接着したアナログ抵抗膜方式の透明タッチパネルにおいて、
前記上部電極部材及び前記下部電極部材の両方について、前記電極及び前記一対のバスバーのパターンを各々２分割することにより、４分割入力エリアを形成したことを特徴とするマルチタッチ入力が可能なアナログ抵抗膜方式タッチパネル。
【請求項３】
さらに、分割された電極パターン毎に独立してバスバーから取り出された取り出し線を、当該電極パターン間で接続したり切り離したりするスイッチ回路を備えた、請求項１又は請求項２のいずれかに記載のマルチタッチ入力が可能なアナログ抵抗膜方式タッチパネル。
【請求項４】
分割された電極パターンどうしを隔てる隙間の距離をペン先の直径の１／２以下にした、請求項１〜３のいずれかに記載のマルチタッチ入力が可能なアナログ抵抗膜方式タッチパネル。
【請求項５】
分割された電極パターンどうしを隔てる隙間の形状をノコギリ状にした、請求項１〜４のいずれかに記載のマルチタッチ入力が可能なアナログ抵抗膜方式タッチパネル。
【請求項６】
分割された電極パターンどうしを隔てる隙間に帯状の絶縁膜を設けた、請求項１〜５のいずれかに記載のマルチタッチ入力が可能なアナログ抵抗膜方式タッチパネルを提供する。
【請求項７】
分割された電極パターンどうしを隔てる隙間に前記ドット状スペーサの一列を重ねるようにした、請求項１〜５のいずれかに記載のマルチタッチ入力が可能なアナログ抵抗膜方式タッチパネルを提供する。
【発明の詳細な説明】
【技術分野】
【０００１】
本発明は、ＰＤＡ、ハンディターミナルなど携帯情報端末、コピー機、ファクシミリなどＯＡ機器、スマートフォン、 携帯電話機、携帯ゲーム機器、電子辞書、カーナビシステム、小型PC、各種家電品等の用途に用いられ、マルチタッチ入力が可能なアナログ抵抗膜方式タッチパネルに関するものである。
【背景技術】
【０００２】
上記の電子機器に搭載されているタッチパネルは、通常、ペン２３及び指入力可能なアナログ抵抗膜方式が採用されている。この方式のタッチパネルとしては、図１０に示すように、ガラス板などの透明絶縁基材１の上面にインジウムチンオキサイド（ＩＴＯ）などの透明な導電膜からなる電極２および銀ペーストなどからなる平行な一対のバスバー３を形成した下部電極部材４と、ポリエステルフィルムなどの可撓性透明絶縁基材５の下面に前記と同様の導電膜からなる電極６およびバスバー７を形成した上部電極部材８とを、導電膜２，６間にドット状などのスペーサ９を介在させ、下部電極部材４のバスバー３間方向と上部電極部材８のバスバー７間方向が直交するように重ね合わせ、周縁部を両面テープなどの接着層１０で接着したアナログ抵抗膜方式のものがある。なお、バスバー３，７と外部端子との接続は、通常、下部電極部材４または／および上部電極部材８に引き回し回路１１を設けるなどして行う。（特許文献１参照）。
【０００３】
アナログ抵抗膜方式の透明タッチパネルの原理は、図１１に示すように、上部電極部材８上から任意の点Ｐを指やペンなどで押圧して両電極６，２の点Ｐの箇所を点接触させたとき、上部電極部材８に電圧を印加しかつ下部電極部材４には電圧を印加しないことによって、上部電極部材８の電極６にはＸ方向に電位勾配が生じ、上部電極部材８の電極６上の点Ｐに分圧された電圧ｅＸが生じ、この電圧ｅＸは下部電極部材４の分圧出力端１２から検出される。ここで、点Ｐの座標を（ｘ，ｙ）、上部電極部材８のバスバー７間の距離をＬ１、バスバー７間の電圧をＥとすると、ｅＸ／Ｅ＝ｘ／Ｌ１という関係により、電圧ｅＸから点Ｐのｘ座標を求めることができる。また、下部電極部材４に対する電圧を印加しかつ上部電極部材８には電圧を印加しないことによって、下部電極部材４の電極２上の点Ｐに分圧された電圧ｅＹが生じ、この電圧ｅＹは、上部電極部材８の分圧出力端１３から検出される。ここで、上部電極部材８のバスバー３間の距離をＬ２、バスバー３間の電圧をＥとすると、ｅＹ／Ｅ＝ｙ／Ｌ２という関係により、電圧ｅＹから点Ｐのｙ座標を求めることができる。
【０００４】
【特許文献１】特開平０８-２４１６４６号公報
【発明の開示】
【発明が解決しようとする課題】
【０００５】
しかしながら、従来のアナログ抵抗膜方式のタッチパネルにおいては、ペン又は指で１点のみしか入力出来ず、仮に２点押しを行った場合には、コントローラ内の演算処理により中点の座標が検出される（図１２参照）。その為、誤って、２点を入力した場合は、正しい座標が検出することが出来ない。また、アプリケーションにおいては、別々のコマンドを同時に選択したりとか、２つの異なるキャラクターを動かしたり、更には、２人で同時にゲームをしたりといった使用が出来なかった。
【０００６】
したがって、本発明は、以上のような従来技術の課題を考慮し、同時に２点以上の入力、すなわちマルチタッチ入力が可能なアナログ抵抗膜方式タッチパネルを提供するものである。
【課題を解決するための手段】
【０００７】
本発明は、上記技術的課題を解決するために、以下の構成のアナログ抵抗膜方式タッチパネルを提供する。
【０００８】
本発明の第１態様によれば、透明絶縁基材の上面に透明な導電膜からなる電極および平行な一対のバスバーを形成した下部電極部材と、可撓性透明絶縁基材の下面に透明な導電膜からなる電極および平行な一対のバスバーを形成した上部電極部材とを、電極間にスペーサを介在させ、下部電極部材のバスバー間方向と上部電極部材のバスバー間方向が直交するように重ね合わせ、周縁部を接着層で接着したアナログ抵抗膜方式の透明タッチパネルにおいて、前記上部電極部材及び前記下部電極部材の一方について、前記電極及び前記一対のバスバーのパターンを２分割することにより、２分割入力エリアを形成したことを特徴とする、マルチタッチ入力が可能なアナログ抵抗膜方式タッチパネルを提供する。
【０００９】
本発明の第２態様によれば、透明絶縁基材の上面に透明な導電膜からなる電極および平行な一対のバスバーを形成した下部電極部材と、可撓性透明絶縁基材の下面に透明な導電膜からなる電極および平行な一対のバスバーを形成した上部電極部材とを、上下の電極間にドット状のスペーサを介在させ、下部電極部材のバスバー間方向と上部電極部材のバスバー間方向が直交するように重ね合わせ、周縁部を接着層で接着したアナログ抵抗膜方式の透明タッチパネルにおいて、前記上部電極部材及び前記下部電極部材の両方について、前記電極及び前記一対のバスバーのパターンを各々２分割することにより、４分割入力エリアを形成したことを特徴とする、マルチタッチ入力が可能なアナログ抵抗膜方式タッチパネルを提供する。
【００１０】
本発明の第３態様によれば、さらに、分割された電極パターン毎に独立してバスバーから取り出された取り出し線を、当該電極パターン間で接続したり切り離したりするスイッチ回路を備えた、第１態様又は第２態様のいずれかに記載のマルチタッチ入力が可能なアナログ抵抗膜方式タッチパネルを提供する。
【００１１】
本発明の第４態様によれば、分割された電極パターンどうしを隔てる隙間の距離をペン先の直径の１／２以下にした、第１〜３態様のいずれかに記載のマルチタッチ入力が可能なアナログ抵抗膜方式タッチパネルを提供する。
【００１２】
本発明の第５態様によれば、分割された電極パターンどうしを隔てる隙間の形状をノコギリ状にした、第１〜４態様のいずれかに記載のマルチタッチ入力が可能なアナログ抵抗膜方式タッチパネルを提供する。
【００１３】
本発明の第６態様によれば、分割された電極パターンどうしを隔てる隙間に帯状の絶縁膜を設けた、第１〜５態様のいずれかに記載のマルチタッチ入力が可能なアナログ抵抗膜方式タッチパネルを提供する。
【００１４】
本発明の第７態様によれば、分割された電極パターンどうしを隔てる隙間に前記ドット状スペーサの一列を重ねるようにした、第１〜５態様のいずれかに記載のマルチタッチ入力が可能なアナログ抵抗膜方式タッチパネルを提供する。
【発明の効果】
【００１５】
すなわち、電極及び一対のバスバーのパターンを分割することにより、各々の分割パターンが取り出し線を介して独立して制御され、複数の分割入力エリアで各々ポイントを入力することが出来る為、同時に２点以上の入力が可能になる。例えば、ＦＡ用途において、危険動作のコマンド指示は両手で同時に押さないと受け付けないといったことが可能になる。また、ゲーム用途においては、１つの画面で複数のキャラクターを同時に動かして対戦させるなど、これまでにないアプリケーションが可能になる。
【発明を実施するための最良の形態】
【００１６】
以下、図面に示した実施の形態に基づいて本発明を詳細に説明する。
【００１７】
図１は、本発明の第１態様を示す分解図である。同図において、タッチパネル本体は、透明絶縁基材１の上面に透明な導電膜からなる電極および平行な一対のバスバーを形成した下部電極部材４と、可撓性透明絶縁基材５の下面に透明な導電膜からなる電極６および平行な一対のバスバー７を形成した上部電極部材８とを、上下の電極間にドット状のスペーサ９を介在させ、下部電極部材４のバスバー間方向と上部電極部材８のバスバー７間方向が直交するように重ね合わせ、周縁部を接着層１０で接着したアナログ抵抗膜方式の透明タッチパネルにおいて、前記下部電極部材４について、前記電極及び前記一対のバスバーのパターンを２分割することにより、２分割入力エリアを形成している。
【００１８】
すなわち、図１に示す下部電極部材４は、左側（Left）エリアに設けられた電極パターン２Ｌ及び一対のバスバー３Ｌと、右側（Right）エリアに設けられた電極パターン２Ｒ及び一対のバスバー３Ｒとを備え、各々の分割パパターンが取り出し線２０を介して独立して制御される。こうすることによって、下部電極部材４の左側エリアに設けられた電極パターン２Ｌと上部電極部材８に設けられた電極パターン６とが重複する左側入力エリア、下部電極部材４の右側エリアに設けられた電極パターン２Ｒと上部電極部材８に設けられた電極パターン６とが重複する右側入力エリア、の２つの分割入力エリアで各々ポイントを入力することが出来る為、左右で２ポイント同時に入力することが可能になる。同時入力が可能になると、入力形態の幅が広がり、様々なジェスチャーが可能になる。上記ジェスチャーとしては、例えば2本の指でタッチした場合に特定のモードの入力をり当てたり、1本の指で任意の位置をタッチし、その他の指でスライドさせることにより、任意の位置を中心に画面を回転させたり、変形させたりという動作がある。また、二本の指で対戦型のゲームを操作する等の例もある。例えば、図２は、同時入力の一例であり、本タッチパネルをディスプレイ上に設置したタッチスクリーンで、ディスプレイ画面に表示された長方形の図形の対向する２隅上を各々指２２で同時にタッチし、間隔を広げることにより画面上の図形のサイズを変更することができる。
【００１９】
なお、本発明の第１態様においては、前記下部電極部材４ではなく前記上部電極部材８について、前記電極６及び前記一対のバスバー７のパターンを２分割することにより、２分割入力エリアを形成してもよい。
【００２０】
すなわち、前記上部電極部材８は、上側エリアに設けられた電極パターン及び一対のバスバーと、下側エリアに設けられた電極パターン及び一対のバスバーとを備え、各々の分割パターンが取り出し線を介して独立して制御される。こうすることによって、下部電極部材４に設けられた電極パターン２と上部電極部材８の上側エリアに設けられた電極パターンとが重複する上側入力エリア、下部電極部材４に設けられた電極パターン２と上部電極部材８の下側に設けられた電極パターンとが重複する下側入力エリア、の２つの分割入力エリアで各々ポイントを入力することが出来る為、上下で２ポイント同時に入力することが可能になる。
【００２１】
下部電極部材４の透明絶縁基材１としては、ポリカーボネート系、ポリアミド系、ポリエーテルケトン系のエンジニアリングプラスチック、アクリル系、ポリエチレンテレフタール系、ポリブチレンテレフタール系などの透明樹脂フィルムや透明樹脂板、ガラス板を用いることができる。なお、透明樹脂板やガラス板を用いる場合、電極２およびバスバー３を形成した透明樹脂フィルムを当該透明樹脂板やガラス板の表面に貼付けてもよい。
【００２２】
上部電極部材８の可撓性絶縁基材５としては、ポリカーボネート系、ポリアミド系、ポリエーテルケトン系等のエンジニアリングプラスチック、アクリル系、ポリエチレンテレフタレート系、ポリブチレンテレフタレート系などの透明フィルムなどを用いる。なお、可撓性絶縁基材５は、１枚のフィルムではなく、複数枚のフィルムを重ね合わせた積層体であってもよい。この場合はタッチパネル全体としての耐久性が向上するので好ましい。
【００２３】
電極２，６を構成する透明な導電膜としては、酸化錫、酸化インジウム、酸化アンチモン、酸化亜鉛、酸化カドミウム、インジウムチンオキサイド（ＩＴＯ）などの金属酸化物膜、これらの金属酸化物を主体とする複合膜、金、銀、銅、錫、ニッケル、アルミニウム、パラジウムなどの金属膜がある。また、導電膜は多層形成してもよい。導電膜の形成方法としては、真空蒸着法、スパッタリング、イオンプレーティング，ＣＶＤ法などを用いる。
【００２４】
前記電極２，６をエリア分割したパターン２Ｌ，２Ｒ、６Ｔ，６Ｂを形成するには、前記導電膜の必要な部分をレジストで覆い、不要な部分を酸／アルカリなどのエッチング液にて除去したり、あるいはＣＯ２レーザー等で不要な部分を除去したりする。
【００２５】
バスバー３，７としては、金、銀、銅、ニッケルなどの金属あるいはカーボンなどの導電性を有するペーストを用いる。バスバー３，７の形成方法としては、スクリーン印刷、オフセット印刷、グラビア印刷、フレキソ印刷などの印刷法、フォトレジスト法、刷毛塗法などがある。各バスバー３，７は、前記電極２，６をエリア分割したパターン２Ｌ，２Ｒ、６Ｔ，６Ｂに合わせて分離独立し、各独立したバスバー３Ｌ，３Ｒ、７Ｔ，７Ｂから引回し回路（図示すると図面が見にくくするため省略）を延出させ、外部に取り出されて図示しない制御装置と接続される。この時、電極２，６の分割パターン２Ｌ，２Ｒ、６Ｔ，６Ｂは、タッチパネルを使用する携帯電話やスマートフォンやＰＤＡ等の入力エリアや表示エリアの広さや形状に適合させることにする。
【００２６】
ドット状のスペーサ９は、入力時のくっ付き防止やチャタリング特性を上げる為のもので、下部電極部材の導電膜または上部電極部材の導電膜のいずれかに形成する。たとえば、メラミンアクリレート樹脂、ウレタンアクリレート樹脂、エポキシアクリレート樹脂、メタアクリルアクリレート樹脂、アクリルアクリレート樹脂などのアクリレート樹脂、ポリビニールアルコール樹脂などの透明な光硬化型樹脂をフォトプロセスで微細なドット状に形成して得ることができる。また、印刷法により微細なドットを多数形成してスペーサ９とすることもできる。
【００２７】
接着層１０としては、両面テープや、アクリル樹脂、エポキシ樹脂、フェノール樹脂、ビニル樹脂などからなる絶縁性の接着剤を用いる。なお、両電極の貼り合わせは、接着層１０を上部電極部材の周縁部および下部電極部材の周縁部の両方あるいは一方のみに形成した後に行う。
【００２８】
また、本発明は、前記上部電極部材８及び前記下部電極部材４の両方について、前記電極２，６及び前記一対のバスバー３，７のパターンを各々２分割することにより（図３参照）、４分割入力エリアを形成してもよい（第２態様）。
【００２９】
すなわち、図３に示す下部電極部材４は、左側エリアに設けられた電極パターン２Ｌ及び一対のバスバー３Ｌと、右側エリアに設けられた電極パターン２Ｒ及び一対のバスバー３Ｒとを備え、各々のバスバー３Ｌ，３Ｒを取り出し線２０を介して独立して制御される。一方、前記上部電極部材８は、上側（Top）エリアに設けられた電極パターン６Ｔ及び一対のバスバー７Ｔと、下側（Bottom）エリアに設けられた電極パターン６Ｂ及び一対のバスバー７Ｂとを備え、各々の分割パターンが取り出し線２０を介して独立して制御される。こうすることによって、下部電極部材４の左側エリアに設けられた電極パターン２Ｌと上部電極部材８の上側エリアに設けられた電極パターン６Ｔとが重複する左上入力エリア、下部電極部材４の右側エリアに設けられた電極パターン２Ｒと上部電極部材８の上側エリアに設けられた電極パターン６Ｔとが重複する右上入力エリア、下部電極部材４の左側エリアに設けられた電極パターン２Ｌと上部電極部材８の下側エリアに設けられた電極パターン６Ｂとが重複する左下入力エリア、下部電極部材４の右側エリアに設けられた電極パターン２Ｒと上部電極部材８の下側エリアに設けられた電極パターン６Ｂとが重複する右下入力エリア、の合計４つの分割入力エリアで各々ポイントを入力することが出来る為、４ポイント同時に入力することが可能になる。また、実機を縦使用の時でも、横使用の時でも、２点同時入力を可能である。
【００３０】
また、本発明の第１態様又は第２態様のいずれかにおいて、さらに、分割された電極パターン２Ｌ，２Ｒ，６Ｔ，６Ｂ毎に独立してバスバー３Ｌ，３Ｒ，７Ｔ，７Ｂから取り出された取り出し線２０を、当該電極パターン２Ｌ，２Ｒ間及び／又は電極パターン６Ｔ，６Ｂ間で接続したり切り離したりするスイッチ回路２１を備えるようにしてもよい（第３態様）。こうすることによって、分割されたバスバーを独立して制御し、多数のアナログ抵抗膜タッチパネルとして扱うモード（図４参照）と、分割された各バスバーをそれぞれ１つに繋げ、１つのアナログ抵抗膜タッチパネルとして扱うモード（図５参照）に切り替えることができるつまり、多点入力が不要な時は、分割された各バスバーを繋げて、単一のアナログ抵抗膜方式タッチパネルとして扱うことができるため、シンプルな制御が可能になり、消費電力を抑えることが出来る。
【００３１】
また、本発明の第１〜３態様のいずれかにおいて、分割された電極パターン２Ｌ，２Ｒどうし及び／又は分割された電極パターン６Ｔ，６Ｂどうしを隔てる隙間の距離Ｗをペン２３先の直径Ｒの１／２以下にしてもよい（図６中の要部拡大部分を参照，第４態様）。こうすることによって、分割された電極パターンどうしを隔てる隙間はペン先形状に対して十分狭いので、ペン入力時に入力不可点を無くし、エリアのつなぎ目部の線抜けを無くする（連続入力が可能）ことができる。また、前期隙間部分は透明導電膜が存在しないため透明導電膜の存在する部分との間で屈折率の差が生じるが、間隔が大きいと目視で筋として視認されてしまう。隙間の距離Ｗをペン２３先の直径Ｒの１／２以下にすることにより、分割パターンを形成しているにもかかわらず、外観上は単一の透明導電膜を有するように見える。
【００３２】
また、本発明の第１〜４態様のいずれかにおいて、分割された電極パターン２Ｌ，２Ｒどうし及び／又は分割された電極パターン６Ｔ，６Ｂどうしを隔てる隙間の形状をノコギリ状にしてもよい（図７中の要部拡大部分を参照，第５態様）。隙間の形状が直線であると、比較的に目視で筋として視認されやすい。ノコギリ状にすることによって、分割した電極パターンの隙間を目視で見えないようにすることができる。また、隙間の形状が直線であると、その隙間上に沿ってペンを滑らせても入力できないことがあるが、隙間の形状をノコギリ状にすることによって、隙間とペンの直線移動が交差するため
入力性を上げることができる。
【００３３】
また、本発明の第１〜５態様のいずれかにおいて、分割された電極パターン２Ｌ，２Ｒどうし及び／又は分割された電極パターン６Ｔ，６Ｂどうしを隔てる隙間に帯状の絶縁膜２４を設けるようにしてもよい（図８中の要部拡大部分を参照，第６態様）。こうすることによって、分割した電極パターンの隙間を目視で見えないようにし、且つ段差を無くすことにより電極の耐久性を上げることができる。絶縁膜２４としては、メタアクリル酸エステル樹脂、アクリル酸エステル樹脂、ポリエチレンテレフタレート樹脂、ポリブチレンテレフタレート樹脂、ポリアミド樹脂、アルキッド樹脂などの熱可塑性樹脂、メラミン樹脂、ウレタン樹脂、エポキシ樹脂、尿素樹脂、ポリシロキサン樹脂などの熱硬化型樹脂、メラミンアクリレート樹脂、ウレタンアクリレート樹脂、エポキシアクリレート樹脂、メタアクリルアクリレート樹脂、アクリルアクリレート樹脂などのアクリレート樹脂、ポリビニールアルコール樹脂などの光硬化型樹脂などからなるものがある。絶縁膜２４を帯状に形成する方法としては、スクリーン印刷などを用いるとよい。
【００３４】
また、本発明の第１〜５態様のいずれかにおいて、分割された電極パターン２Ｌ，２Ｒどうし及び／又は分割された電極パターン６Ｔ，６Ｂどうしを隔てる隙間に前記ドット状スペーサ９の一列を重ねるようにしてもよい（図９中の要部拡大部分を参照，第７態様）。こうすることによって、ドット状スペーサ９で拡散反射が起こるため、分割された電極パターンの隙間を目視で見えないようすることができる。
【００３５】
さらに言えば、前記可撓性絶縁基材５の表面には、透明窓部を有する加飾シートが貼り合わせられていてもよい。当該加飾シートは、前記可撓性絶縁基材５と同様の材料の片面に透明窓部の周囲、すなわち前記バスバー３Ｌ，３Ｒ，７Ｔ，７Ｂや図示しない前記引回し回路などを絵柄で隠蔽するように加飾層が形成されている。前記加飾層で被覆される部分が絵柄となり、前記加飾層で被覆されない部分が透明窓部となる。このように前記可撓性絶縁基材５の表面に加飾シートを設け、さらに前記下部電極部材４に透明樹脂板を用いることによって、当該タッチパネルを液晶画面の保護パネルとし、タッチパネルの外表面が携帯電話機、スマートフォン等の電子機器における前面外装筐体の外表面と同一平面を形成すること、すなわちタッチパネルが前面外装筐体の一部を構成することが可能となる。
【００３６】
前記加飾層は、ポリビニル系樹脂、ポリアミド系樹脂、ポリエステル系樹脂、ポリアクリル系樹脂、ポリウレタン系樹脂、ポリビニルアセタール系樹脂、ポリエステルウレタン系樹脂、若しくは、アルキド樹脂などの樹脂をバインダーとし、適切な色の顔料又は染料を着色剤として含有する着色インキを用いるとよい。前記加飾層の形成方法としては、スクリーン印刷、オフセット印刷、グラビア印刷、若しくは、フレキソ印刷などの通常印刷法などを用いるとよい。特に、多色刷りや階調表現を行うには、オフセット印刷法やグラビア印刷法が適している。
【００３７】
また、前記加飾層は、金属薄膜層からなるもの、あるいは絵柄印刷層と金属薄膜層との組み合わせからなるものでもよい。金属薄膜層は、前記加飾層として金属光沢を表現するものであり、真空蒸着法、スパッタリング法、イオンプレーティング法、若しくは、鍍金法などで形成する。この場合、表現したい金属光沢色に応じて、アルミニウム、ニッケル、金、白金、クロム鉄、銅、スズ、インジウム、銀、チタニウム、鉛、若しくは、亜鉛などの金属、又は、これらの合金又は化合物を使用する。金属薄膜層の膜厚は、０．０５μｍ程度とするのが一般的である。
【００３８】
なお、前記可撓性絶縁基材５の最上面にはハードコート層が形成されていてもよい。ハードコート層としては、シロキサン系樹脂などの無機材料、あるいはアクリルエポキシ系、ウレタン系の熱硬化型樹脂やアクリレート系の光硬化型樹脂などの有機材料がある。ハードコート層の厚みは、１〜７μｍ程度が適当である。ハードコート層の塗布ではなく、ハードコートフィルムを貼付けてもよい。
【００３９】
また、通常、タッチパネルの取り出し線は、前記上部電極部材及び前記下部電極部材の間に側方よりＦＰＣ（フレキシブルプリント配線板）により挿入することによって設けるが、前記したようにタッチパネルを前面外装筐体の一部とする場合には、前記下部電極部材に貫通孔を設け、当該貫通孔を介してタッチパネル背面からＦＰＣによって電気信号を取り出す。
【００４０】
また、前記したフィルムの全面貼り合せには、感圧接着剤(Pressure  Sensitive  Adhesives,ＰＳＡ)を使用すればよい。ＰＳＡの塗布方法としては、スクリーン印刷、オフセット印刷、グラビア印刷、若しくは、フレキソ印刷などの通常印刷法などを用いるとよい。
【００４１】
なお、前記様々な実施形態のうちの任意の実施形態を適宜組み合わせることにより、それぞれの有する効果を奏するようにすることができる。本発明は、添付図面を参照しながら好ましい実施形態に関連して充分に記載されているが、この技術の熟練した人々にとっては種々の変形や修正は明白である。そのような変形や修正は、請求の範囲による本発明の範囲から外れない限りにおいて、その中に含まれると理解されるべきである。
【図面の簡単な説明】
【００４２】
【図１】本発明の第１態様を示す分解図である。
【図２】マルチタッチ入力の一例を示す概念図である。
【図３】本発明の第２態様を示す分解図である。
【図４】本発明の第３態様における２点押しモードのスイッチ状態を示す概念図である。
【図５】本発明の第３態様における１点押しモードのスイッチ状態を示す概念図である。
【図６】本発明の第４態様を示す図である。
【図７】本発明の第５態様を示す図である。
【図８】本発明の第６態様を示す図である。
【図９】本発明の第７態様を示す図である。
【図１０】従来のアナログ抵抗膜方式タッチパネルの一例を示す分解図である。
【図１１】アナログ抵抗膜方式タッチパネルの原理図である。
【図１２】従来のアナログ抵抗膜方式タッチパネルの問題点を説明する図である。
【符号の説明】
【００４３】
１  透明絶縁基材
２  電極
２Ｌ，２Ｒ  分割した電極パターン
３  バスバー
３Ｌ，３Ｒ  分割したバスバー
４  下部電極部材
５  可撓性透明絶縁基材
６  電極
６Ｔ，６Ｂ  分割した電極パターン
７  バスバー
７Ｔ，７Ｂ  分割したバスバー
８  上部電極部材
９  スペーサ
１０  接着層
１１  引き回し回路
１２  分圧出力端
１３  分圧出力端
２０  取り出し線
２１  スイッチ
２２  指
２３  入力ペン
２４  絶縁膜
【図１】
2010026641.tif 000003
【図２】
2010026641.tif 000004
【図３】
2010026641.tif 000005
【図４】
2010026641.tif 000006
【図５】
2010026641.tif 000007
【図６】
2010026641.tif 000008
【図７】
2010026641.tif 000009
【図８】
2010026641.tif 000010
【図９】
2010026641.tif 000011
【図１０】
2010026641.tif 000012
【図１１】
2010026641.tif 000013
【図１２】
2010026641.tif 000014